(57)【要約】【課題】軽量化を図るとともに部品点数を削減して、生産性を向上させることができる照明器具を提供する。【解決手段】被取付部１１に露出する枠状の鍔部２２と、光源３０を取り付ける光源取付部２４と、鍔部２２と光源取付部２４との間に設けられ光源３０から離れる方向に向かうに従って拡径する形状の反射部２３と、反射部２３を内包する筒部２２を、金属板により一体成形して器具本体２０を形成した。これにより、軽量化を図るとともに、部品点数を削減して、生産性を向上させることができる。【選択図】図２
2015053159.tif 000002
【特許請求の範囲】
【請求項１】
被取付部に取り付けられる器具本体と、
前記器具本体に取り付けられる光源と、を有し、
前記器具本体が、前記被取付部に露出する枠状の鍔部と、前記光源を取り付ける光源取付部と、前記鍔部と前記光源取付部との間に設けられ前記光源から離れる方向に向かうに従って拡径する形状の反射部と、前記反射部を内包する筒部と、が金属板により一体成形された照明器具。
【請求項２】
請求項１に記載の照明器具において、
前記器具本体を前記被取付部に取り付けるためのばね部材と、
前記ばね部材を取り付けるばね取付部を前記筒部の外側に設けた照明器具。
【請求項３】
請求項２に記載の照明器具において、
前記筒部に電源部を収容した照明器具。
【発明の詳細な説明】
【技術分野】
【０００１】
本発明は、被取付部に設けられている取付孔に埋め込んで用いられる照明器具に関するものである。
【背景技術】
【０００２】
従来、天井等の被取付部に設けられている取付孔に埋め込んで取付け、主に床面等を照明する照明器具が知られている（例えば、特許文献１参照）。
図７に示すように、特許文献１に記載のＬＥＤ照明器具１００は、天井１０１に設けられている取付孔１０２に取り付けられて下方を照明する。
ＬＥＤ照明器具１００は、外郭ケース１０３を有しており、外郭ケース１０３の中央部には、内部ヒートシンク１０４が設けられている。内部ヒートシンク１０４の下面には、ＬＥＤ素子１０５を有するチップ基板１０６が取り付けられる。チップ基板１０６の下側には、配光制御レンズ１０７が設けられている。
【０００３】
内部ヒートシンク１０４の上側には、ＬＥＤ素子１０５の点灯制御を行う制御回路１０８が設けられている。
外郭ケース１０３の外側には、外郭ケース１０３を取付孔１０２に取り付けるための取付部材１０９およびＬＥＤ素子１０５が発する熱を外部に放出する外部フィン１１１が設けられている。
また、外郭ケース１０３の上側には、蓋部１１０が設けられている。
【先行技術文献】
【特許文献】
【０００４】
【特許文献１】特開２０１２−１１９２３０号公報（第１図）
【発明の概要】
【発明が解決しようとする課題】
【０００５】
しかしながら、前述したような特許文献１に記載の従来の照明器具（ＬＥＤ照明器具１００）においては、アルミダイカストにより外郭ケース１０３を形成しているため、ＬＥＤ照明器具１００の重量が大きくなるという問題がある。
そこで、重量の問題を解決するために、金属板材を用いる照明器具が考えられている。この場合には、本体、枠体、電源装置取付部等を金属板材により別個に形成し、接続するため、部品点数が多くなり、コストアップおよび生産性の低減という問題があった。
【０００６】
本発明は、従来の問題を解決するためになされたもので、軽量化を図るとともに部品点数を削減して、生産性を向上させることができる照明器具を提供することを目的とする。
【課題を解決するための手段】
【０００７】
本発明の照明器具は、被取付部に取り付けられる器具本体と、前記器具本体に取り付けられる光源と、を有し、前記器具本体が、前記被取付部に露出する枠状の鍔部と、前記光源を取り付ける光源取付部と、前記鍔部と前記光源取付部との間に設けられ前記光源から離れる方向に向かうに従って拡径する形状の反射部と、前記反射部を内包する筒部と、が金属板により一体成形されたものである。
【０００８】
また、本発明の照明器具は、前記器具本体を前記被取付部に取り付けるためのばね部材と、前記ばね部材を取り付けるばね取付部を前記筒部の外側に設けたものである。
【０００９】
また、本発明の照明器具は、前記筒部に電源部を収容したものである。
【発明の効果】
【００１０】
本発明では、被取付部に露出する枠状の鍔部と、光源から離れる方向に向かうに従って拡径する形状の反射部と、反射部を内包する筒部と、を金属板により一体成形して器具本体を形成したので、部品点数を削減して、生産性を向上させることができるという効果を有する照明器具を提供できる。
【図面の簡単な説明】
【００１１】
【図１】本発明に係る実施形態の照明器具の斜視図
【図２】本発明に係る実施形態の照明器具を取付孔に取り付けた状態の断面図
【図３】本発明に係る実施形態の照明器具の分解斜視図
【図４】本発明に係る実施形態の照明器具の器具本体を上方から見た斜視図
【図５】本発明に係る実施形態の照明器具の器具本体を下方から見た斜視図
【図６】（Ａ）は本発明に係る実施形態の照明器具を取付孔に取り付けた状態の断面図であり、（Ｂ）は（Ａ）におけるＢ部の拡大図
【図７】従来のダウンライトの断面図
【発明を実施するための形態】
【００１２】
以下、実施形態の照明器具について、図面を用いて説明する。
図１および図２に示すように、実施形態の照明器具１０は、被取付部である天井１１に設けられている取付孔１２に埋め込んで、主に下方を照明するダウンライトとして用いることができる。
なお、以下の説明においては、光照射方向を「下」とし、光照照射方向と反対側を「上」とする。
【００１３】
照明器具１０は、取付孔１２に取り付けられる器具本体２０と、器具本体２０を取付孔１２に取り付けるための取付ばね５０を有する。ここでは、取付ばね５０は、器具本体２０に対して対称な位置に一対設けられているが、３個以上の取付ばね５０を設けることもできる。
図２および図３に示すように、器具本体２０は、取付孔１２に取り付けた際に天井１１の下面に当接して下方に露出する枠状の鍔部２２を有する。鍔部２２は円形状とされ、その内周端から内側上方に向かって、円錐台形状の反射部２３が設けられており、上端には水平な天板（光源取付部）２４が設けられている。
なお、鍔部２２は、円形状以外にも角形状でもよい。
【００１４】
反射部２３の外側の鍔部２２の上側には、取付ばね５０を取り付けるためのばね取付部２６が設けられている。ばね取付部２６は、鍔部２２等と一体で設けることができる。また、ばね取付部２６は、鍔部２２に沿って全周に設けて、円筒形状に設けることができる。
本実施形態では、ばね取付部２６を鍔部２２と一体で円筒形状に設けて、筒部２１を形成する場合について説明する。従って、ばね取付部２６は筒部２１の一部に設けられることになる。
ばね取付部２６は、例えば、矩形板状の取付ばね５０の端部が嵌合可能な凹部２６１と、凹部２６１を切起こして形成され、取付ばね５０を差し込んで係止する一対の係止爪２６２で構成することができる。
【００１５】
図２および図３に示すように、筒部２１は、上方に開口（上開口部２１１）した円筒形状を呈しており、筒部２１の内部における天板２４の上側には、電源部４０が収容される。電源部４０は、商用電源から電力の供給を受けて、後述するＬＥＤユニット（光源）３０に点灯電力を供給するものであり、電源ボックス４１、端子台４２および端子台カバー４３を有する。
なお、筒部２１において端子台４２の前方（外側）に位置する部位には、商用電源を端子台４２に接続するための開口２１２が設けられている。
また、電源部４０は一体でなくても構わず、電線等でつなぐことも可能である。
【００１６】
筒部２１の上開口部２１１には、内部に収容した電源部４０を覆うカバー２５が取り外し可能に取り付けられる。カバー２５は、円板状の本体２５１を有し、本体２５１の外周縁から下方に、矩形の係止片２５２が折曲げ形成されている。係止片２５２は、ここでは本体２５１の外周を等分する位置に４カ所設けられている。係止片２５２には、内側に突出する係止突起２５３が設けられている。
従って、カバー２５は、筒部２１の上開口部２１１に被せて、係止片２５２の係止突起２５３と筒部２１との間の摩擦力により、取り付けられる。
【００１７】
天板２４の下面には、光源である例えばＣＯＢ（Chip-on-board）タイプのＬＥＤユニット３０が、ねじ３４により取り付けられている。ＬＥＤユニット３０は、回路基板３２にＬＥＤチップ３１を実装したものであり、リフレクタやレンズ等の光学部材３３を有する。
なお、ＬＥＤユニット３０としてはＳＭＤ（Surface Mount Device）タイプでもよく、光学部材３３レンズの形状は、集光するフレネルレンズや、乳白レンズ等を適宜選択すればよい。
従って、ＬＥＤユニット３０から発せられた照明光は、直接下方に照射されたり、反射部２３の内面（反射面）で反射して、下方に照射される。
なお、ＬＥＤユニット３０としては、交換可能なものや交換不可なものを用いることができる。
ここで、交換可能なものとは、ＬＥＤ自身がユニット形状となり、それ自身で完結しており、本体等に勘合（設置）されて、照明光を発することができるものをいう。このタイプでは、ねじ等で固定し、コネクタを接続して、給電することが可能なものもある。
【００１８】
図４および図５には、１枚の例えばアルミニウム板等の金属板材料から形成される器具本体２０が示されている。
すなわち、前述した鍔部２２、反射部２３、天板２４および筒部２１は、１枚の金属板材料から一体成形される。
なお、図６（Ａ）および図６（Ｂ）に示すように、筒部２１は、鍔部２２を折り返して二重に形成し、上側の鍔部２２１を上方に略直角に曲げ上げて形成される。
【００１９】
一体成形の加工法としては、種々のものを用いることができる。
例えば、ブロー成形やプレス成形が可能であるが、これに限るものではない。
ブロー成形は、均一な板厚で一体成形するのに適し、また、金型が一方のみなので低コストの利点がある。
また、プレス成形は、角部が薄くなるおそれがあるが、部位に応じて板厚を変化させることが可能になる。
【００２０】
次に、照明器具１０の作用効果について説明する。
実施形態の照明器具１０は、天井１１に設けられた取付孔１２に取り付けられる器具本体２０を有する。器具本体２０は、天井１１の下面に露出する枠状の鍔部２２と、ＬＥＤユニット３０を取り付ける天板２４と、鍔部２２とＬＥＤユニット３０との間に設けられる略円錐台形状の反射部２３を有する。器具本体２０は、鍔部２２、天板２４、反射部２３および筒部２１を、金属板により一体成形して形成される。
これにより、軽量化を図るとともに、部品点数を削減して、生産性を向上させることができる。
【００２１】
また、実施形態の照明器具１０は、器具本体２０を天井１１に取り付けるための取付ばね５０を設け、この取付ばね５０を取り付けるばね取付部２６を、筒部２１の外側に設けた。
これにより、器具本体２０は、取付ばね５０により天井１１に取り付けられる。
【００２２】
また、実施形態の照明器具１０においては、筒部に電源部を収容した。
【００２３】
本発明の照明器具は、前述した各実施形態に限定されるものでなく、適宜な変形、改良等が可能である。
例えば、前述した各実施形態においては、金属板としてアルミニウム板を用いた場合を例示したが、これに限るものではない。その他の金属板を用いることも可能である。
【符号の説明】
【００２４】
１０  照明器具
１１  天井（被取付部）
２０  器具本体
２１  筒部
２２  鍔部
２３  反射部
２４  天板（光源取付部）
２６  ばね取付部
３０  ＬＥＤユニット（光源）
４０  電源部
５０  ばね部材
【図１】
2015053159.tif 000003
【図２】
2015053159.tif 000004
【図３】
2015053159.tif 000005
【図４】
2015053159.tif 000006
【図５】
2015053159.tif 000007
【図６】
2015053159.tif 000008
【図７】
2015053159.tif 000009